(57)【要約】【目的】特に夜間時の階段昇降に際して階段の幅方向に亘って均一に光を照射して十分な視認性及び安心感を歩行者に与えることのできる新規な構成の階段踏板を提供する。【構成】踏板１１表面の前縁に沿って表側横溝１２が形成されると共に、該表側横溝の中央においてその溝底から踏板の裏面側に貫通する垂直孔１３が形成される。垂直孔内には光源１６が設けられる。表側横溝内に収容された２本のチューブライト１４の各中央側端部が垂直孔内に嵌入されて光源に対向した位置で開口している。光源からの光は、チューブライトの開口端から入射して散乱しながらチューブライトの側面から出射して踏板の表面前縁側領域を照射し、また、垂直孔の踏板裏面側の開口に設けられた光透過性キャップ１９を介して踏板の裏面側に出射して一つ下の階段踏板の表面奥側領域をも照射する。【選択図】図２
2006299743.tif 000002
【特許請求の範囲】
【請求項１】
踏板表面の前縁に沿って表側横溝が形成されると共に、該表側横溝の中央においてその溝底から踏板の裏面側に貫通する垂直孔が形成され、垂直孔内に光源が設けられ、且つ、表側横溝内に収容された２本のチューブライトの各中央側端部が垂直孔内に嵌入されて光源に対向した位置で開口しており、光源からの光が、チューブライトの開口端から入射して散乱しながらチューブライトの側面から出射して踏板の表面前縁側領域を照射し、また、垂直孔の踏板裏面側の開口に設けられた光透過性キャップを介して踏板の裏面側に出射して一つ下の階段踏板の表面奥側領域をも照射することを特徴とする階段踏板。
【請求項２】
チューブライト内を伝達してきた光を反射する光反射部材が表側横溝内においてチューブライトの外方開口端に対向して設けられることを特徴とする、請求項１記載の階段踏板。
【発明の詳細な説明】
【技術分野】
【０００１】
本発明は、特に夜間時の昇降を容易にするための照明装置を備えた階段踏板に関する。
【背景技術】
【０００２】
たとえば下記特許文献１には、「階段の各踏板の前縁に設けた滑り止め板の下部に、水平方向前面と前記滑り止め板側の上面に光を照射する光源を備えたことを特徴とする階段用照明装置」（請求項１より引用）が示されており、また、下記特許文献２には、「踏板１の蹴込板２より突出した突出先端部１ａの幅方向裏面に凹部５を凹設するとともに、該凹部５から踏板１表面に連通する小孔８を形成し、この凹部５内に下段の階段１を照らす照明器具６を収納した、ことを特徴とする階段」（実用新案登録請求の範囲第１項より引用）が示されている。
【特許文献１】特開２００３−１４１９２８号公報
【特許文献２】実公平５−１４９７８号公報
【発明の開示】
【発明が解決しようとする課題】
【０００３】
しかしながら、これらの従来技術においては、光源からの光を階段踏板の幅方向に積極的に拡散させるものではないため、階段踏板の幅方向で明るさの差が生じ、視認性が不十分であり、特に夜間時に昇降しようとする者に不安感を与える恐れがあった。
【０００４】
したがって、本発明が解決しようとする課題は、特に夜間時の階段昇降に際して階段の幅方向に亘って均一に光を照射して十分な視認性及び安心感を歩行者に与えることができる新規な構成の階段踏板を提供することにある。
【課題を解決するための手段】
【０００５】
上記の課題を達成するため、請求項１に係る本発明は、踏板表面の前縁に沿って表側横溝が形成されると共に、該表側横溝の中央においてその溝底から踏板の裏面側に貫通する垂直孔が形成され、垂直孔内に光源が設けられ、且つ、表側横溝内に収容された２本のチューブライトの各中央側端部が垂直孔内に嵌入されて光源に対向した位置で開口しており、光源からの光が、チューブライトの開口端から入射して散乱しながらチューブライトの側面から出射して踏板の表面前縁側領域を照射し、また、垂直孔の踏板裏面側の開口に設けられた光透過性キャップを介して踏板の裏面側に出射して一つ下の階段踏板の表面奥側領域をも照射することを特徴とする階段踏板である。
【０００６】
請求項２に係る本発明は、請求項１記載の階段踏板において、チューブライト内を伝達してきた光を反射する光反射部材が表側横溝内においてチューブライトの外方開口端に対向して設けられることを特徴とする。
【発明の効果】
【０００７】
請求項１にかかる本発明によれば、光源から発する光が、チューブライトの中央側の開口端からチューブライト内に入射し、チューブライト内を踏板の幅方向に伝達して、散乱しながらチューブライトの側面から出射することにより踏板の表面前縁側領域を照射する。したがって、踏板の表面前縁側領域がチューブライトの延長方向である幅方向に亘って均一に照射され、階段昇降時の視認性が向上する。また、光源からの光の一部は、光源の下に設けられた光透過性キャップから下方に出射することにより一つ下の踏板の表面奥側領域を照射するので、踏板の表面奥側領域の視認性も確保できる。これらを通じて、特に夜間時の階段歩行の安全性・安心感が向上し、階段を上り下りするときに足を踏み外す事故を未然に防止することができる。
【０００８】
請求項２にかかる本発明によれば、チューブライトの外方開口端に光反射部材が設けられているので、チューブライト内を伝達してきた光がこの光反射部材で反射し、チューブライトの側面から出射するので、チューブライトの全長に亘って均一に踏板表面前縁側領域を照射することができる。
【発明を実施するための最良の形態】
【０００９】
以下添付図面を参照して本発明の一実施形態による階段について詳述する。
【００１０】
この階段１０の踏板１１の前縁側の表面には、踏板１１の全幅に亘って一本の表側横溝１２が形成されている。踏板１１の材質は本発明において限定的ではないが、たとえば木質系材料や各種合成樹脂材料から形成することができる。木質系材料としては、無垢の木材、合板、集成材、単板積層材（ＬＶＬ）、木質繊維板（ＭＤＦなど）などを使用することができ、その表面には必要に応じて突板、各種模様を形成した合成樹脂シートなどを貼着して化粧が施される。踏板１１の寸法も本発明において何ら限定されないが、この実施形態では厚さ３６ｍｍである。
【００１１】
表側横溝１２の大きさは任意であるが、この実施形態では横幅７ｍｍ、深さ６．５ｍｍの大きさに形成されている。表側横溝１２の断面形状は、上方開口の略コの字形とすることが好ましいが、底面を円弧状とした断面略Ｕ字形またはその他任意形状を有するものであっても良い。
【００１２】
表側横溝１２の略中央には、表側横溝１２の溝底から踏板１１の裏面まで貫通する断面円形の垂直孔１３が形成されている、この実施形態において、垂直孔１３は直径１１ｍｍである。
【００１３】
表側横溝１２内にはチューブライト１４が挿入される。チューブライト１４は可撓性を有する棒状材料から形成され、その開口端面から入射した光を散乱させつつチューブライト１４の側面から出射させることができるものであれば特に限定されずに使用可能であり、たとえば特開２００４−１４６２２５号公報記載の光散乱体を用いることができる。チューブライト１４の径は表側横溝１２内に挿入可能であり且つその上に照明カバー１５を被せるように設けることを可能にする寸法であり、この実施形態では直径３ｍｍのチューブライト１４が用いられている。
【００１４】
チューブライト１４は２本を対にして用いられ、それらの中央側端部は垂直孔１３内に引き込まれて、垂直孔１３内に唯一設けられた光源１６に対向するように開口している。光源１６は発熱量の小さいものが好ましく、白熱小電球、蛍光電球、ＬＥＤ（発光ダイオード）などが好適に用いられる。
【００１５】
チューブライト１４の大半部は表側横溝１２に沿って踏板１１の両側縁に向けて延長しており、その外方開口端面は光反射部材１７で実質的に閉塞されている。光反射部材１７は、光源１６からの光がチューブライト１４を通ってこの外方端面にまで到達したときに、これを中央側に向けて反射させる作用を発揮するための光反射性を有するものであり、たとえばガラス鏡板、金属鏡板、金属メッキを施した樹脂板、金属粉含有塗料を塗布した樹脂板、金属箔などを用いることができる。
【００１６】
表側横溝１２内に収容されたチューブライト１４の上には照明カバー１５が設けられる。照明カバー１５は、ポリプロピレン、アクリル、ＡＢＳ樹脂などの透明または半透明材料より断面略コの字形に形成されており、この実施形態では幅７ｍｍ、高さ６ｍｍとされている。なお、この実施形態ではチューブライト１４の外方開口端面が踏板１１の側縁に至らずに中途で終端しており、チューブライト１４が存在している中間領域においてはチューブライト１４上に照明カバー１５が設けられ、チューブライト１４が存在していない両端領域にはダミーカバー１８が設けられている。ダミーカバー１８は照明カバー１５と略同様の寸法を有する断面略コの字形に形成することができるが、チューブライト１４が存在しない領域において表側横溝１２内に設けられるものであるので、表側横溝１２の幅及び深さとそれぞれ略同一の幅及び厚さを有する略矩形断面形状を有するものであっても良い。
【００１７】
前述の垂直孔１３には、略円柱状の上部ソケット２４と略円筒状の下部ソケット２５とが挿入される。下部ソケット２５の上端縁が上部ソケット２４の底部周縁の凹部に嵌合して一体化され、これらの間に形成される空間内に光源１６が設けられる。上部ソケット２４の中心にはチューブライト１４と略同径の固定孔２６が形成されており、この固定孔２６に対してチューブライト１４の中央側端部を踏板１１の表面側から下向きに挿入した後、断面略コの字形の照明カバー１５をチューブライト１４に被せるようにして表側横溝１２内に嵌着する。これによりチューブライト１４が表側横溝１２内及び垂直孔１３内に固定される。下部ソケット２５には、光源１６からの配線コード２３を後述の裏側縦溝２２に導通するためのスリット２７が設けられる。下部ソケット２５の下端には、光透過性材料で形成されたキャップ１９が嵌着されている。
【００１８】
踏板１１の中央前縁側の裏面には、裏側縦溝２２及び裏側横溝２１が設けられる。裏側横溝２１は、蹴込板２０の上端を嵌入させるために踏板１１の全幅に亘って形成され、蹴込板２０の厚さに応じた幅寸法（たとえば６．５ｍｍ）と適当な深さ寸法（たとえば６．５ｍｍ）を有する。図４を併せて参照して、裏側縦溝２２は、光源１６からの電源コード２３をスリット２７を介して外部に導くためのものであり、所要の長さに長溝状に形成されている。電源コード２３が通るスペースを確保するため、裏側縦溝２２は裏側横溝の深さ（６．５ｍｍ）より深く、たとえば８．５ｍｍの深さを有するものとし、且つ、下部ソケット２５のスリット２７に届くように形成される。
【００１９】
照明カバー１５及びダミーカバー１８は、それらの表面が踏板１１の表面と略面一となるように表側横溝１２内に嵌合されるものであっても良いが、好ましくは、図３に示すように、表側横溝１２の深さより小さな高さ寸法を有するものとして踏板１１表面との間にｈ＝０．５ｍｍ程度の段差を設けて滑り止めとする。また、照明カバー１５及びダミーカバー１８の側壁に波状凹凸２８を形成しておくと、表側横溝１２内に嵌合した状態からの抜けを防止することができるので、好ましい実施形態である。
【００２０】
以上のように構成された階段踏板の作用について説明すると、配線コード２３を通じて電源（図示せず）に接続されて電力供給を受けることにより駆動された光源１６から発する光は、その大半が、チューブライト１４の中央側開口端に入射し、表側横溝１２に嵌合収容されたチューブライト１４内を通って踏板１１の中央から両側に向けて伝達し、その間に散乱しながらチューブライト１４の側面から照明カバー１５を介して上方に出射して、踏板１１の表面前縁側領域を照射する。チューブライト１４内を通る光の一部は側面から出射することなく外方開口端に到達するが、該外方開口端に設けられた光反射部材１７で反射して再度チューブライト１４内を中央に向けて逆行し、この間に散乱しながらチューブライト１４の側面から照明カバー１５を介して出射して、踏板１１の表面前縁側領域を照射する。また、光源１６からの光の一部は、光源１６の下に設けられた光透過性キャップ１９を透過して下方に出射して、一つ下の踏板の表面奥側領域を照射する。このようにして、踏板１１の表面前縁側領域及び表面奥側領域が光源１６及びチューブライト１４によって照射されるので、特に夜間における階段昇降時の視認性及び安全性・安心感が向上し、足を踏み外す事故を未然に防止することができる。
【００２１】
本発明は図示の実施形態に限定されるものではなく、特許請求の範囲の各請求項によって定義される発明の範囲内において多種多様な変形態様を取り得る。たとえば、図示実施形態では、表側横溝１２を踏板１１の表面前縁全幅に沿って形成して、チューブライト１４の外方開口端面を踏板１１の中途で終端させ、チューブライト１４が存在している中間領域には照明カバー１５を設けると共にチューブライト１４が存在していない両端領域にはダミーカバー１８を設けているが、チューブライト１４を表側横溝１２の全長に亘る長さ、すなわち踏板１１の全幅に亘る長さとしても良く、この場合にはダミーカバー１８は不要となる。また、表側横溝１２の長さを踏板１１の全幅よりも短く形成して、この表側横溝１２の長さに対応した長さのチューブライト１４を嵌合収容しても良く、この場合にもダミーカバー１８は不要となる。
【産業上の利用可能性】
【００２２】
本発明による階段踏板は、一般住宅や一般建物における階段の踏板として用いられる他、高齢者入居施設や病院などにおいても好適に用いることができる。
【図面の簡単な説明】
【００２３】
【図１】本発明の一実施形態による階段踏板の平面図である。
【図２】図１Ａ−Ａ断面図である。
【図３】図２Ｂ−Ｂ断面図である。
【図４】この階段踏板の部分拡大裏面図である。
【符号の説明】
【００２４】
１０  階段
１１  踏板
１２  表側横溝
１３  垂直孔
１４  チューブライト
１５  照明カバー
１６  光源
１７  光反射部材
１８  ダミーカバー
１９  キャップ
２０  蹴込板
２１  裏側横溝
２２  裏側縦溝
２３  配線コード
２４  上部ソケット
２５  下部ソケット
２６  固定孔
２７  スリット
２８  波状凹凸
【図１】
2006299743.tif 000003
【図２】
2006299743.tif 000004
【図３】
2006299743.tif 000005
【図４】
2006299743.tif 000006